(57)【要約】【課題】保管中に電池性能が低下しない燃料電池を提供することを目的としている。【解決手段】複数の収容室１と、該収容室１どうしを連結する連結部２と、該連結部２を開通可能に閉塞する閉塞手段１０と、前記収容室１のいずれかの内部に間隔をあけて配置された酸化極４および還元極３とを備え、いずれかの前記収容室１にアルカリ電解質溶液８が収容され、他のいずれかの前記収容室にグルコース９が収容されている燃料電池１００を提供する。【選択図】図１
2011119034.tif 000002
【特許請求の範囲】
【請求項１】
複数の収容室と、
該収容室どうしを連結する連結部と、
該連結部を開通可能に閉塞する閉塞手段と、
前記収容室のいずれかの内部に間隔をあけて配置された酸化極および還元極とを備え、
いずれかの前記収容室にアルカリ電解質溶液が収容され、
他のいずれかの前記収容室にグルコースが収容されている燃料電池。
【請求項２】
前記閉塞手段が、前記連結部を閉塞する位置に配置され、外力によって破断可能な隔壁部材である請求項１に記載の燃料電池。
【請求項３】
前記連結部が、弾性変形可能な部分を有する連結管であり、
前記隔壁部材が、前記連結管の弾性変形により前記外力を加えられる請求項２に記載の燃料電池。
【請求項４】
前記連結管の弾性変形を抑える保護部材が取り外し可能に設けられている請求項３に記載の燃料電池。
【請求項５】
前記隔壁部材に対向する位置に、変位可能な可動部が設けられ、
該可動部に、前記隔壁部材を貫通可能な尖端を有する破断部が固定されている請求項２に記載の燃料電池。
【請求項６】
前記閉塞手段が、開閉可能なバルブである請求項１に記載の燃料電池。
【請求項７】
未使用の状態で上下に配置される２つの収容室と、
該収容室どうしを連絡する連結部と、
上方の前記収容室の内部に間隔をあけて配置された酸化極および還元極とを備え、
上方の前記収容室内に、固体グルコースが固定され、
下方の前記収容室内に、アルカリ電解質溶液が収容されている燃料電池。
【請求項８】
前記アルカリ電解質溶液が、水酸化カリウム、水酸化ナトリウムまたは水酸化リチウムのいずれかを含む請求項１から請求項７のいずれかに記載の燃料電池。
【発明の詳細な説明】
【技術分野】
【０００１】
本発明は、燃料電池に関するものである。
【背景技術】
【０００２】
従来、燃料としてグルコースを用いた構成の燃料電池には、酵素を固定した電極を触媒とするものや、金属電極を触媒とするものがある。特許文献１には、酵素を固定した電極を触媒とする燃料電池が開示されている。非特許文献１には、金属触媒によって糖の酸化反応を促進する方式のグルコース−空気燃料電池が開示されている。非特許文献１に記載の金属電極を用いたグルコース−空気燃料電池の燃料は、強アルカリ性にすると、金属触媒上でのグルコースの酸化反応が促進されることが知られている。燃料としては、一般に、グルコース溶液に水酸化カリウムや水酸化ナトリウムの水溶液を混合させた構成のものが用いられる。
【先行技術文献】
【特許文献】
【０００３】
【特許文献１】特開２００７−１８８８１０号公報（請求項１、段落[００１１]）
【非特許文献】
【０００４】
【非特許文献１】熊本大学  谷口功著  「バイオ電気化学の実際−バイオセンサ・バイオ電池の実用展開−／第１５章  グルコース−空気燃料電池」株式会社シーエムシー出版、２００７年３月、ｐ．２５２−２７０
【発明の概要】
【発明が解決しようとする課題】
【０００５】
グルコースはアルカリ条件下に曝されると、異性化が進み、フルクトース及びマンノースが生成される。ほとんどの場合、グルコースとフルクトースの混合物になることが知られている。フルクトースは、グルコースと比べて燃料としての働きが弱いため、糖−空気燃料電池の燃料として用いた場合、出力が低下することが本発明者らの実験によって判っている。
すなわち、電池未使用時にグルコースとアルカリ溶液とを混合した状態で保管すると、グルコースの燃料としての性能が劣化し、電池性能の低下につながる。
【０００６】
本発明は、上述した事情に鑑みてなされたものであって、保管中に電池性能が低下しない燃料電池を提供することを目的としている。
【課題を解決するための手段】
【０００７】
上記目的を達成するために、本発明は以下の手段を提供する。
本発明は、複数の収容室と、該収容室どうしを連結する連結部と、該連結部を開通可能に閉塞する閉塞手段と、前記収容室のいずれかの内部に間隔をあけて配置された酸化極および還元極とを備え、いずれかの前記収容室にアルカリ電解質溶液が収容され、他のいずれかの前記収容室にグルコースが収容されている燃料電池を提供する。
【０００８】
本発明に係る燃料電池によれば、電池使用時に閉塞手段を開通することで、アルカリ電解質溶液とグルコースとが混合されて燃料液となる。酸化極が燃料液に浸漬された状態において、燃料液に含まれるグルコースが、電子を放出することによって酸化される。一方、還元極では、収容室中または大気中から供給された酸素が酸化極で生成された電子を受け取って還元される。このとき、酸化極で放出された電子は、燃料液中を移動することができないため、両電極を電気的に接続した電池の外部回路を通る。これによって、電池として発電が行われる。
【０００９】
この場合において、電池未使用時に、アルカリ電解質溶液とグルコースとを閉塞手段によって隔離しておくことで、アルカリによるグルコースの異性化を防止することができる。従って、強アルカリ電解質溶液を用いた電池であっても、使用開始時まで高い電池性能を維持することができる。
【００１０】
上記発明においては、前記閉塞手段が、前記連結部を閉塞する位置に配置され、外力によって破断可能な隔壁部材であっても良い。また、上記発明においては、前記連結部が、弾性変形可能な部分を有する連結管であり、前記隔壁部材が、前記連結管の弾性変形により前記外力を加えられても良い。これによって、強アルカリ性の溶液に直接触れることなく、安全に且つ容易にアルカリ電解質溶液とグルコースとを混合させることができる。
【００１１】
上記発明においては、前記連結管の弾性変形を抑える保護部材が取り外し可能に設けられていても良い。このような構成とすることで、保護部材が連結部に設けられている間は、連結部が大きく弾性変形できないので、電池未使用時に誤って隔壁部材を破断させることを防止できる。電池使用時には、保護部材を取り外すことで、弾性部材を変形させることが可能となる。
【００１２】
上記発明においては、前記隔壁部材に対向する位置に、変位可能な可動部が設けられ、該可動部に、前記隔壁部材を貫通可能な尖端を有する破断部が固定されていても良い。
このような構成とすることで、直接隔壁部材に力を加えることができるため、確実に隔壁を破断することができる。
【００１３】
上記発明においては、前記閉塞手段が、開閉可能なバルブであっても良い。これによって、収容室間の連絡を自在に制御することが可能となる。
例えば、使用開始時まではバルブを閉じた状態にし、電池としての使用開始時にバルブを開いた状態にすることで、電池未使用時にアルカリによるグルコースの異性化を防止することができる。また、燃料液の調製後にバルブを再度閉じた状態とすることで、燃料液の他の収容室への移動を遮断することができる。このような場合には、使用開始時まで高い電池性能を維持することができるとともに、電池使用時に還元極及び酸化極が燃料液に浸漬された状態を安定に維持することができるようになる。
【００１４】
本発明は、未使用の状態で上下に配置される２つの収容室と、該収容室どうしを連絡する連結部と、上方の前記収容室の内部に間隔をあけて配置された酸化極および還元極とを備え、上方の前記収容室内に、固体グルコースが固定され、下方の前記収容室内に、アルカリ電解質溶液が収容されている燃料電池を提供する。
電池未使用時の状態で、グルコースは上方の収容室内に固定されているため、アルカリ電解質溶液とグルコースとを隔離しておくことができる。これによって、電池未使用時におけるアルカリ電解質溶液による異性化を防止することができる。また、収容室どうしは連絡可能であるため、燃料電池の上下を反転させるだけでアルカリ電解質溶液とグルコースとを混合することができ、容易に発電可能な状態とすることができる。
【００１５】
上記発明においては、前記アルカリ電解質溶液が、水酸化カリウム、水酸化ナトリウム、水酸化リチウムのいずれかを含んでも良い。
本発明は、電池未使用時におけるアルカリ電解質溶液によるグルコースの異性化を考慮する必要がない。従って、任意の強アルカリ性を呈する電解質溶液を使用することができるため、上記燃料電池の発電性能を向上させることができる。
【発明の効果】
【００１６】
本発明によれば、金属触媒及びグルコースを用いた燃料電池において、電池使用時まで、グルコースがアルカリ電解質溶液によって異性化されることを防止し、高い電池性能を維持することができるという効果を奏する。
【図面の簡単な説明】
【００１７】
【図１】第１実施形態に係る燃料電池を示す断面図である。（ａ）は未使用時の燃料電池、（ｂ）は使用時の燃料電池を示す。
【図２】第２実施形態に係る燃料電池を示す断面図である。
【図３】第３実施形態に係る燃料電池を示す断面図である。
【図４】第４実施形態に係る燃料電池を示す断面図である。
【図５】第５実施形態に係る燃料電池を示す断面図である。
【図６】第６実施形態に係る燃料電池を示す断面図である。
【図７】第７実施形態に係る燃料電池を示す断面図である。（ａ）は未使用時の燃料電池、（ｂ）は使用時の燃料電池を示す。
【発明を実施するための形態】
【００１８】
＜第１実施形態＞
本発明の第１実施形態に係る燃料電池について、図１を参照して以下に説明する。
本実施形態に係る燃料電池１００は、図１に示されるように、第１収容室１ａと、第２収容室１ｂと、連結部２と、還元極３及び酸化極４と、正極端子５及び負極端子６と、酸素供給部７と、アルカリ電解質溶液８と、グルコース９と、閉塞手段１０と、保護部材１１とを備えている。
【００１９】
第１収容室１ａ及び第２収容室１ｂは、水密素材からなる筐体である。
連結部２は、第１収容室１ａ及び第２収容室１ｂを連結する管状の部材であり、その少なくとも一部分が、管状の弾性部材により構成されているものである。
【００２０】
還元極３は、酸化マンガンが金属網に固着された板状の部材で構成されており、第１収容室１ａに設けられている。
酸化極４は、触媒として金を担持しているカーボンペーパー等の導電性材料からなる板状の部材で構成され、第１収容室１ａの還元極３に対して間隔ｄを隔てて配置されている。
【００２１】
正極端子５及び負極端子６は、酸化極４で放出された電子を還元極３へ移動させる機能を有するため、導電性材料であるグラファイトで構成されている。正極端子５及び負極端子６は、第１収容室１ａの一側面下端部に壁面を貫通して配置され、一端が外部に露出し、他端が第１収容室１ａ内部で、それぞれ還元極３及び酸化極４と固着されている。正極端子５及び負極端子６の外部に露出した一端は、外部回路に接続される（図示略）。
【００２２】
酸素供給部７は、開口部と通気防水性材料とにより構成されている。本実施形態において、通気防水性材料は気孔を有する多孔質樹脂膜であり、ＰＴＦＥのシートを用いる。このシートは、液体の通過を阻止し、且つ、最大出力で発電するために必要な量の気体の通過を許容する。酸素供給部７は、第１収容室１ａの壁面を貫通する開口部を液密に密封するようにして設けられている。酸素供給部７の第１収容室１ａ内側には、還元極３が酸素供給部７を覆うように、近接して配置されている。
【００２３】
アルカリ電解質溶液８には、水酸化カリウムを主とする水溶液が採用され、酸化反応を促進するのに適当なｐＨに調整される。アルカリ電解質溶液８は、第１収容室１ａに収容されている。すなわち、電極３，４がアルカリ電解質溶液８内に常時浸漬されている。
グルコース９は、発電に必要な適当な濃度で調製されたグルコース水溶液が用いられる。グルコース９は、第２収容室１ｂ内に収容されている。
【００２４】
閉塞手段１０は、連結部２を開通可能に閉塞して、第１収容室１ａと第２収容室１ｂとを隔離するように構成されている。本実施形態では、閉塞手段１０は、応力が加わると破断され、連結部２を開通可能にする隔壁部材である。このような隔壁部材の例としては、薄いガラス板や薄いプラスチック板等が挙げられる。また、隔壁部材は、図１（ａ）に示すように、連結部２の内側において、第１収容室１ａ側と第２収容室１ｂ側の境界となる開口部を遮断するようにして液密に配置されている。
保護部材１１は、連結部２の外側に取り外し可能に任意に設けられるものであり、電池未使用時における連結部２の変形を防止している。保護部材１１は、連結部２に設けられた状態では、第１収容室１ａと第２収容室１ｂとを支持している。
【００２５】
このように構成された本実施形態に係る燃料電池１００の作用について、以下に説明する。
本実施形態に係る燃料電池１００によれば、電池の未使用時には、グルコース９は、アルカリ電解質溶液８が収容された第１収容室１ａと閉塞手段１０により隔離された状態で、第２収容室１ｂ内に収容されている。そして、電池の使用開始時には、連結部２に外力Ｐを加えて屈曲させることにより、図１（ｂ）に示すように、隔壁部材が破断させられて、第１収容室１ａと第２収容室１ｂとが開通する。これにより、アルカリ電解質溶液８とグルコース９とが混合されて、燃料液１２となる。
【００２６】
アルカリ電解質溶液８とグルコース９が混合された燃料液１２が酸化極４に接触すると、燃料液１２中に含まれるグルコース９から電子が放出される。すなわち、グルコース９が酸化されて、グルコノラクトンになり、放出された電子が酸化極４に流れる。このとき、燃料液１２中に水素イオンが発生する。また、グルコース９から放出されて酸化極４に流れた電子は、燃料液１２中を移動することができないため、外部回路（図示略）を介して還元極３に供給される。一方、還元極３では、酸素供給部７を介して外気から供給される酸素に、燃料液１２中の水素イオンと還元極３からの電子が供給されることによって、酸素が還元されて水になる。これにより、電池として発電が行われ、外部回路に電流が流れる。
【００２７】
以上より、本実施形態に係る燃料電池は、電池未使用時において、グルコース９をアルカリ電解質溶液８と接触していない状態で保管することができる。これによって、アルカリ電解質溶液８によってグルコース９が異性化されることを防止できる。また、電池未使用時において、グルコース９は、酸化極４にも接触しないため、発電の反応を抑制させておくこともできる。従って、保存期間中の電池性能の低下を抑制することが可能となる。
【００２８】
また、閉塞手段１０が、外力により破断して連結部２を開通可能とするように構成されているので、連結部２を開通させる際にアルカリ電解質溶液８に直接触れることがない。したがって、アルカリ電解質溶液８が強アルカリ性の溶液であっても、容易に、且つ、安全にグルコース９と混合することが可能となる。
アルカリ電解質溶液８及びグルコース９を、共に液体とすることで、混合工程を迅速化することができる。また、還元極３が予めアルカリ電解質溶液に接触しているため、酸素の還元反応に適した環境となっている。
また、連結部２に保護部材１１が設けられている場合には、電池の未使用時に誤って隔壁部材を破断させることを防止できる。
【００２９】
＜第２実施形態＞
本発明の第２実施形態に係る燃料電池について、図２を参照して以下に説明する。
本実施形態に係る燃料電池２００は、第１実施形態の連結部２に可動部２３が設けられ、該可動部に破断部２４が設けられたこと以外は、第１実施形態と同様の構成とする。
【００３０】
可動部２３は、弾性部材からなり、閉塞手段２０に対向する位置に配置されている。破断部２４は、尖端を有する部材からなり、尖端が閉塞手段２０に向かうよう可動部２３の内側に設けられている。破断部２４は、可動部２３に外力を与えていない状態で、閉塞手段２０と接触しない大きさとする。
【００３１】
電池使用時には、保護部材２１を取り外して、可動部２３に外力を加えることで、閉塞手段２０を破壊することができる。本実施形態において、閉塞手段２０は、ポリエチレン、ポリプロピレン、ポリ塩化ビニリデンなどの、水密性を有する樹脂製の薄膜を用いる。該薄膜は、アルカリ電解質溶液８によって溶解せず、且つ、可動部２３に外力を加えることで破断部２４が貫通できる強度の膜とする。
【００３２】
上記構成とすることで、破断部２４が尖端を有する部材からなっているので、閉塞手段２０を破壊し易くなる。これによって、閉塞手段に用いられる隔離部材の選択幅が広がる。また、各収容室間の連結部分のすべてを弾性部材とする必要がないため、より安定した外壁を有する電池とすることができる。
なお、破断部２４は、連結部２２の第１収容室１ａ側及び第２収容室１ｂ側のどちらに設けられていても良い。
【００３３】
＜第３実施形態＞
本発明の第３実施形態に係る燃料電池について、図３を参照して以下に説明する。
本実施形態に係る燃料電池３００は、第２実施形態の連結部２２の形状と、可動部２３及び破断部２４の配置を変更した以外は、第２実施形態と同様の構成とする。
本実施形態において、第１収容室１ａ及び第２収容室１ｂは、同じ大きさの開口部を少なくとも１つ有する。この開口部が対向して配置され、その間に両収容室を閉塞するよう閉塞手段３０が設けられている。可動部３３は、第２収容室１ｂの閉塞手段３０に対向した位置に設けられ、該可動部３３の内側に、尖端が閉塞手段３０を向くように破断部３４が配置されている。可動部３３の外側は、保護部材３１で覆われている。このような構成とすることで、燃料電池の形状を単純化することができる。
【００３４】
＜第４実施形態＞
本発明の第４実施形態に係る燃料電池について、図４を参照して以下に説明する。
本実施形態に係る燃料電池４００は、第１実施形態の閉塞手段１０を変更した以外は、第１実施形態と同様の構成とする。
【００３５】
本実施形態において、閉塞手段４０には、バルブが用いられる。バルブは、略円筒形のローターと、バルブケーシングと、レバーとから構成されている。ローターの中央には、半径方向に貫通した流路が形成されている。バルブケーシングは、第１収容室１ａと第２収容室１ｂとの連結部４２を貫通して設けられている。レバーは、ローターの一端に配置されており、流路の向きを自在に変更することができる。流路が第１収容室１ａ及び第２収容室１ｂに対して横向きに配置されたとき、連結部４２は閉塞される。流路が第１収容室１ａ及び第２収容室１ｂに対して垂直に配置されたとき、連結部４２は開通される。
【００３６】
上記構成とすることで、電池の未使用時には、バルブによって連結部４２を閉塞することにより、アルカリ電解質溶液が収容された第１収容室１ａとグルコース９が収容された第２収容室１ｂとが隔離された状態となる。これにより、電池の未使用時に、アルカリ電解質溶液８によるグルコース９の異性化を防止することができる。そして、電池の使用開始時には、バルブによって連結部４２を開通することで、容易にアルカリ電解質溶液８とグルコース９とを混合することができる。さらに、燃料液１２の調製後に連結部４２を再度閉塞すると、液体の通過を遮断し、第１収容室１ａが閉状態とさせられる。これにより、電極３、４が燃料液１２に浸漬された状態で発電が行われる。そのため、電極２、３が設けられた第１収容室１ａに燃料液１２を収容した状態で、収容室１ａ、１ｂ間の液体の移動を遮断すれば、より安定して電極が燃料液１２に浸漬された状態を維持できるようになる。
【００３７】
したがって、電池の使用開始時まで高い電池性能を維持することができるとともに、電池の使用時に安定した起電力を確保することができる。また、バルブによって連結部４２を開閉するタイミングを調節することにより、燃料液１２を適切なグルコース濃度で調製することができる。
【００３８】
＜第５実施形態＞
本発明の第５実施形態に係る燃料電池について、図５を参照して以下に説明する。
本実施形態に係る燃料電池５００は、図５に示されるように、第４実施形態に第３収容室１ｃを設けて、該収容室にアルカリ電解質溶液８を収容したこと以外は、第４実施形態と同様の構成とする。
【００３９】
第３収容室１ｃは、水密素材からなる筐体であり、第２収容室１ｂと連結されている。電池未使用時において、第３収容室１ｃには、アルカリ電解質溶液８が収容されている。
第１収容室１ａ及び第２収容室１ｂと、第２収容室１ｂ及び第３収容室１ｃとの連結部５２ａｂ、５２ｂｃには、それぞれバルブ５０ａｂ、バルブ５０ｂｃが設けられている。
【００４０】
電池使用時には、バルブ５０ｂｃを開放して、アルカリ電解質溶液８とグルコース９とを混合して燃料液１２が調製される。その後、電極３，４が燃料液１２に浸漬されるようバルブ５０ａｂを開放して、燃料液１２を第１収容室１ａへ移動させる。燃料液１２を移動させた後は、バルブ５０ａｂ、バルブ５０ｂｃを閉鎖しておくことが好ましい。本実施形態によれば、燃料液１２を電極に接触させる前に、適切なグルコース濃度でムラなく調製することができるため、酸化極４における酸化反応を円滑に進められるようになる。
なお、本実施形態において、第２収容室１ｂ及び第３収容室１ｃには、それぞれグルコース９とアルカリ電解質溶液８とが収容されているが、逆であっても良い。
【００４１】
＜第６実施形態＞
本発明の第６実施形態に係る燃料電池について、図６を参照して以下に説明する。
本実施形態に係る燃料電池６００は、図６に示されるように、第５実施形態の各収容室間を連結させる組み合わせを変更した以外は、第５実施形態と同様の構成とする。
第３収容室１ｃは、第１収容室１ａ及び第２収容室１ｂとそれぞれ連結されている。電池未使用時において、第３収容室１ｃには、アルカリ電解質溶液８が収容されている。
第１収容室１ａ及び第２収容室１ｂと、第２収容室１ｂ及び第３収容室１ｃと、第１収容室１ａ及び第３収容室１ｃとの連結部６２ａ、６２ｂ、連結部６２ｂ、６２ｃ及び連結部６２ａ、６２ｃには、それぞれバルブ６０ａｂ、バルブ６０ｂｃ、バルブ６０ａｃが設けられている。
【００４２】
上記構成とすると、第２収容室１ｂ及び第３収容室１ｃが、それぞれ第１収容室１ａと連結されているため、バルブ６０ａｂ及びバルブ６０ａｃを同時に開放することができる。それによって、第１収容室１ａへの燃料液１２の移動を迅速に行うことができるため、非常時の電池使用にも適した構成となる。また、より非常時には、すべてのバルブを同時に開放することで、更に早く使用することも可能となる。本実施形態によれば、使用時の状況によって、切替え手順を選択することができる燃料電池となる。
【００４３】
＜第７実施形態＞
本発明の第７実施形態に係る燃料電池について、図７を参照して以下に説明する。
本実施形態に係る燃料電池７００は、図７に示されるように、第１収容室１ａと、第２収容室１ｂと、連結部７２と、還元極３及び酸化極４と、正極端子５及び負極端子６と、酸素供給部７と、アルカリ電解質溶液８と、固体グルコース７９とを備えている。
【００４４】
第１収容室１ａ及び第２収容室１ｂは、それぞれ水密素材からなる筐体であり、連結部７２によって上下に連絡して連結されている。
還元極３は、第１収容室１ａの上部に設けられている。酸化極４は、第１収容室１ａの還元極３に対して間隔ｄを隔てた下方に配置されている。正極端子５及び負極端子６は、第１収容室１ａの一側面上端部に壁面を貫通して配置され、一端が外部に露出し、他端が第１収容室１ａ内部で、それぞれ還元極３及び酸化極４と固着されている。正極端子５及び負極端子６の外部に露出した一端は、外部回路に接続される（図示略）。酸素供給部７は、第１収容室１ａの壁面を貫通する開口部を液密に密封するようにして設けられている。酸素供給部７の第１収容室１ａ内側には、還元極３が酸素供給部７を覆うように、近接して配置されている。
【００４５】
アルカリ電解質溶液８は、第２収容室１ｂ内に収容されている。
グルコース７９は、発電に必要な適当な量の粉末が用いられる。グルコース７９は、第１収容室１ａの内壁に接合されている。水には水酸基が含まれているため、グルコースを異性化させる成分となり得る。従って、グルコースは固体状態で収容されることが好ましい。例えば、グルコース７９は、少量の澱粉糊で練り固めて乾燥させた上で、澱粉糊により第１収容室１ａの内壁に接合されている。あるいは、グルコース７９の粉体が、澱粉製薄膜（オブラート等）で包装された上で、澱粉糊により第１収容室１ａの内壁に接合されていることとしても良い。
燃料電池７００の上下を反転させることで、アルカリ電解質溶液８とグルコース７９とを混合させることができるようになる。
【００４６】
上記構成とすると、より単純な方法で発電を開始できるため、災害時などの使用に適した燃料電池となる。
【００４７】
なお、第１実施形態から第６実施形態において、グルコース９は水溶液を用いているが、粉末などの固形状であっても良い。
【符号の説明】
【００４８】
１  収容室
２，２２，３２，４２，５２，６２，７２  連絡部
３  還元極
４  酸化極
５  正極端子
６  負極端子
７  酸素供給部
８  アルカリ電解質溶液
９，７９  グルコース
１０，４０，５０，６０  閉塞手段
１１，２１，３１  保護部材
１２  燃料液
２３，３３  可動部
２４  破断部
１００，２００，３００，４００，５００，６００，７００  燃料電池
【図１】
2011119034.tif 000003
【図２】
2011119034.tif 000004
【図３】
2011119034.tif 000005
【図４】
2011119034.tif 000006
【図５】
2011119034.tif 000007
【図６】
2011119034.tif 000008
【図７】
2011119034.tif 000009